(57)【特許請求の範囲】
【請求項１】
構造物を基礎に連結するアンカーボルトを基礎設置位置に固定する固定装置において、添プレートの四隅に配されるアンカーボルト相互の間隔に合わせて長ナットを装着した連結枠体を設け、この連結枠体の長ナット上端部にアンカーボルトに連結せしめる棒体状のアンカー保持部の下端を連結し、連結枠体の長ナット下端部に調整用ボルトを連結すると共に、調整用ボルトの下端部を略半球状に形成して回転支持部を設け前記支持プレートの上面に調整用ボルトの回転支持部を回転自在に載置してアンカーボルトの高さを調整自在に構成し、調整後の調整用ボルトを支持プレート上に溶着するように設けられたことを特徴とするアンカーボルト固定装置。
【発明の詳細な説明】
【０００１】
【発明の属する技術分野】
本発明は、Ｓ造またはＳＲＣ造の構造物を基礎に固定するアンカーボルトの固定装置に係り、基礎用配筋の設置作業を妨げずに正確な芯出しを行えるアンカーボルト固定装置に関するものである。
【０００２】
【従来の技術】
Ｓ造またはＳＲＣ造の構築物は、基礎に固定したアンカーボルトに鉄骨を連結している。このアンカーボルトを、基礎に固定するには、アンカーボルトを固定する位置に、予め、支持フレームを構築し、この支持フレームにアンカーボルトを固定する。次に、支持フレームの周囲に基礎を形成する主筋やフープを組み付けた後に、コンクリートを打設して支持フレームごとアンカーボルトを固定するものである。
【０００３】
【発明が解決しようとする課題】
ところが、基礎を構築するには、基礎用の主筋等の他に、地中梁用の主筋等を組み付けることになる。このため、これらの主筋等がアンカーボルトを固定する支持フレームと交錯するので、支持フレームを組み立てるスペースが限られることになっていた。この結果、配筋用の図面を製作したり、設計監理会社と折衝して支持フレームの組み立てスペースを確保するなどといった多くの手間を要している。
【０００４】
また、アンカーボルトを設置する作業において、先に支持フレームを構築し、その後アンカーボルトを固定するといった作業では、設置作業に多くの手間を要するだけでなく、アンカーボルトの位置を正確に調整する作業にも手間を要するものであった。
【０００５】
しかも、支持フレームの周囲にコンクリートを打設するので、打設時におけるコンリートの流れによって、支持フレームに固定したアンカーに位置ずれが生じるおそれもある。
【０００６】
そこで、本発明は上述の課題を解消すべく創出されたもので、アンカーボルトの設置、調整作業を極めて容易に行うことができ、しかも、アンカーボルトの位置ずれを防止して正確且つ短時間でアンカーボルトを設置できるアンカーボルト固定装置の提供を目的とするものである。
【０００７】
【課題を解決するための手段】
上述の課題を解消するため本発明の第１の手段は、Ｓ造またはＳＲＣ造の構造物Ｐを基礎Ｑに連結するアンカーボルト１を基礎Ｑ設置位置に固定する固定装置を提供するものである。
【０００８】
本発明は、添プレート２の四隅に配されるアンカーボルト１相互の間隔に合わせて長ナット４Ａを装着した連結枠体４を設け、この連結枠体４の長ナット４Ａ上端部にアンカーボルト１に連結せしめる棒体状のアンカー保持部３の下端を連結し、連結枠体４の長ナット４Ａ下端部に調整用ボルト５を連結すると共に、調整用ボルト５の下端部を略半球状に形成して回転支持部５Ａを設け前記支持プレート６の上面に調整用ボルト５の回転支持部５Ａを回転自在に載置してアンカーボルト１の高さを調整自在に構成し、調整後の調整用ボルト５を支持プレート６上に溶着するように設けられたことにある。
【００１１】
本発明によると、アンカーボルト１は、アンカー保持部３を介して捨てコンクリートＲ上の支持プレート６に支持され、アンカーボルト１を支持したアンカー保持部３は、支持プレート６上に溶着されるものである。また、長ナット４Ａに連結した調整用ボルト５を回転させることで、長ナット４Ａの高さを変え、この長ナット４Ａに連結したアンカー保持部３を介してアンカーボルト１の高さを調整する。
【００１２】
これらアンカー保持部３と調整用ボルト５とは、連結枠体４や補助フレーム７を介してアンカーボルト１の鉛直下方に位置することで、主筋Ｓ等に交差せず、配筋作業の妨げにならずに済む。
【００１３】
【発明の実施の形態】
以下、図面に基いて本発明の実施の形態を説明する。
【００１４】
本発明アンカーボルト固定装置の基本構成は、複数本のアンカーボルト１を所定の間隔に保持する添プレート２と、アンカーボルト１をアンカーボルト１の鉛直下方で支持するアンカー保持部３とからなる（図２参照）。
【００１５】
添プレート２には、アンカーボルト１の上部を所定の間隔に配置する挿通孔２Ａを開穿してあり（図４参照）、この挿通孔２Ａに挿通したアンカーボルト１を固定ナット２Ｂで添プレート２に固定する（図３参照）。また、すべてのアンカーボルト１を安定させるために、添プレート２と同じ構成の補助フレーム７を設け（図５参照）、この補助フレーム７をアンカーボルト１の下部に配設している（図３参照）。そして、添プレート２と同様に、補助フレーム７に形成した挿通孔７Ａにアンカーボルト１を挿通し、固定ナット７Ｂで補助フレーム７に固定する（図２参照）。
【００１６】
アンカー保持部３は、複数本のアンカーボルト１の下端部に連結する棒体状のもので、特に添プレート２の四隅に配されるアンカーボルト１に連結することで安定した支持が可能になる（図２参照）。図示のアンカー保持部３は、上端部に長ナット３Ａを連結したもので、この長ナット３Ａを介してアンカーボルト１の下端部に連結する（図３参照）。また、アンカー保持部３の下端部に、アンカー保持部３を連結する連結枠体４を設けることで、各アンカー保持部３を強固に固定している。
【００１７】
連結枠体４は、添プレート２の四隅に配されるアンカーボルト１相互の間隔に合わせて長ナット４Ａを装着したもので、この長ナット４Ａ上端部にアンカー保持部３の下端を連結する（図３参照）。図示の連結枠体４は、帯状の板体を井桁状に組み合わせて連結した基盤４Ｂにボルト挿通孔４Ｃを開穿し、このボルト挿通孔４Ｃの開口上部に長ナット４Ａを溶着したものである（図６参照）。そして、長ナット４Ａの上部にアンカー保持部３を連結し、ロックナット４Ｄで固定する（図２参照）。更に、連結枠体４の長ナット４Ａ下端部に調整用ボルト５を連結する。
【００１８】
調整用ボルト５は、支持プレート６上に支持固定するボルトであり、この支持プレート６は、捨てコンクリートＲの上面に固定されている（図３参照）。そして、支持プレート６上で、この調整用ボルト５を回転させることで、連結枠体４とアンカー保持部３とを介してアンカーボルト１の高さを調整する。図示の調整用ボルト５には、回転操作用の操作ナット５Ｂを調整用ボルト５に固着している。また、調整用ボルト５の回転を容易ならしめるために、調整用ボルト５の下端部を略半球状に形成して回転支持部５Ａを設けてある。この回転支持部５Ａは、アンカーボルト１の高さ調整後に、補助フレーム７に溶接される。このとき、回転支持部５Ａと補助フレーム７との接触面積が少ないので、溶接作業を簡略化できる利点もある。
【００１９】
支持プレート６は、基礎Ｑ設置位置に予め敷設された捨てコンクリートＲの上に固定されるもので、図示例では、固定ボルト６Ａで固着している（図３参照）。また、各調整用ボルト５の位置にそれぞれ支持プレート６を配する他、一対の帯状支持プレート６や、１枚の支持プレート６を使用するなど、支持プレート６の設置数は任意に変更することができる（図示せず）。
【００２０】
【発明の効果】
本発明は上述の如く構成したことにより当初の目的を達成した。
【００２２】
すなわち、構造物Ｐを基礎Ｑに連結するアンカーボルト１を基礎Ｑ設置位置に固定する固定装置において、添プレート２の四隅に配されるアンカーボルト１相互の間隔に合わせて長ナット４Ａを装着した連結枠体４を設け、この連結枠体４の長ナット４Ａ上端部にアンカーボルト１に連結せしめる棒体状のアンカー保持部３の下端を連結し、連結枠体４の長ナット４Ａ下端部に調整用ボルト５を連結すると共に、調整用ボルト５の下端部を略半球状に形成して回転支持部５Ａを設け、前記支持プレート６を固定し、この支持プレート６の上面に調整用ボルト５の回転支持部５Ａを回転自在に載置してアンカーボルトの高さを調整し、調整後の調整用ボルト５を支持プレート６上に溶着することによって、調整用ボルト５を回転操作し、溶着するだけで、アンカーボルト１の設置、調整作業を極めて容易に行うことが可能になった。この結果、正確且つ短時間でアンカーボルト１を設置することができる。
【００２３】
また、アンカーボルト１において、上部を添プレート２に固定すると共に、下部を補助フレーム７に固定し、添プレート２の四隅に配されたアンカーボルト１の下端にアンカー保持部３の上端を連結することで、アンカーボルト１が何本配設されていても、これら添プレート２や補助フレーム７によってアンカーボルト１を確実に保持することができる。しかも、コンクリートを出設する部分には、４本のアンカー保持部３のみが支持しているので、打設時におけるコンリートの流れによって、支持フレームに固定したアンカーに位置ずれが生じるおそれも解消された。
【００２４】
このように、本発明によると、アンカーボルトの設置、調整作業を極めて容易に行うことができ、しかも、アンカーボルトの位置ずれを防止して正確且つ短時間でアンカーボルトを設置できるなどといった有益な種々の効果を奏するものである。
【図面の簡単な説明】
【図１】本発明の装着例を示す概略正面図である。
【図２】本発明の使用状態を示す正面図である。
【図３】本発明の分解正面図である。
【図４】本発明の添プレートを示す平面図である。
【図５】本発明の補助フレームを示す平面図である。
【図６】本発明の連結枠体を示す平面図である。
【符号の説明】
Ｐ  構造物
Ｑ  基礎
Ｒ  捨てコンクリート
Ｓ  主筋
１  アンカーボルト
２  添プレート          ２Ａ  挿通孔
２Ｂ  固定ナット
３  アンカー保持部      ３Ａ  長ナット
４  連結枠体            ４Ａ  長ナット
４Ｂ  基盤
４Ｃ  ボルト挿通孔
４Ｄ  ロックナット
５  調整用ボルト        ５Ａ  回転支持部
５Ｂ  操作ナット
６  支持プレート        ６Ａ  固定ボルト
７  補助フレーム        ７Ａ  挿通孔
７Ｂ  固定ナット
【図１】
0004389097.tif 000002
【図２】
0004389097.tif 000003
【図３】
0004389097.tif 000004
【図４】
0004389097.tif 000005
【図５】
0004389097.tif 000006
【図６】
0004389097.tif 000007